(57)【特許請求の範囲】
【請求項１】
ロール状に巻き付けられた非磁性体からなるベースフィルムを巻き取りロールによって移送させる経路の途中に
（１）移送するベースフィルムの上面に磁性材料含有液状塗料を塗布する工程、
（２）移送するベースフィルムの下面方向から少なくとも一対の駆動ロールに巻き掛けられた無端状のベルト上に固定され適当な大きさ又は形に切断したマグネットシートを該ベースフィルムと同一速度で移送させることによって磁性模様を形成させる工程、及び
（３）磁性材料含有液状塗料を乾燥又は硬化させる工程を含む
ことを特徴とする磁性模様形成方法。
【発明の詳細な説明】
【０００１】
【産業上の利用分野】
本発明は、磁性模様形成方法に関する。
【０００２】
【従来の技術及びその課題】
従来、磁性模様形成方法として、ある一定の大きさに切断したベースフィルム材の裏面に該ベースフィルム材と同様の大きさの磁石を固定した後、ベースフィルムの上面に磁性材料含有液状塗料を塗布し、次いで乾燥硬化をおこなった後、ベースフィルム材から磁石を取り除く方法が一般的に行なわれている。
【０００３】
しかしながら、上記した方法は、長尺物の生産には適していないこと、ベースフィルム材に固定した磁石を取り除くことが面倒であること、塗装、模様形成、及び乾燥硬化を連続的に行なうことが困難であることなどの欠点がある。
【０００４】
【課題を解決するための手段】
本発明者等は、上記した問題点を解決するために鋭意研究を重ねた。その結果、特に、移送するベースフィルムの下面方向から無端状のベルト上に固定された磁石をベースフィルムと同一速度で移送させることによって磁性模様を形成させることによって、従来からの欠点を全て解消することを見い出し、本発明を完成するに至った。
【０００５】
即ち、本発明は、ロール状に巻き付けられた非磁性体からなるベースフィルムを巻き取りロールによって移送させる経路の途中に
（１）移送するベースフィルムの上面に磁性材料含有液状塗料を塗布する工程、
（２）移送するベースフィルムの下面方向から少なくとも一対の駆動ロールに巻き掛けられた無端状のベルト上に固定され適当な大きさ又は形に切断したマグネットシートを該ベースフィルムと同一速度で移送させることによって磁性模様を形成させる工程、及び
（３）磁性材料含有液状塗料を乾燥又は硬化させる工程を含む
ことを特徴とする磁性模様形成方法に係る。
【０００６】
本発明で使用するベースフィルムは、非磁性体からなるベースフィルムである。具体例としては、例えばポリ塩化ビニル、ポリエステル、ポリエチレン、ナイロン、ポリウレタン、ポリイミド、アクリル、スチレン、ＡＢＳ、フェノール、エポキシ、セルロース、ゴムなどが好適なものとして挙げられる。
【０００７】
ベースフィルムは、それ自体着色されていても透明であっても、また、表面が平滑であってもエンボス加工のものであってもかまわない。また、ベースフィルムの膜厚はベースフィルムの下面から磁石を固着させた際に磁性粉に作用をおよぼす膜厚であれば特に制限なしに選択できる。具体的には、約１〜２，０００μm 、好ましくは約５〜２００μm の範囲が望ましい。
【０００８】
ベースフィルムは、図１に示される如くロール（１）状に巻かれており、そしてベースフィルム（２）の先端は駆動ロール（３）に巻き付けられ、ベースフィルム（２）はロール（１）からロール（３）方向に移送される。
ベースフィルム（２）が移送される経路で塗装工程▲１▼、磁性模様形成工程▲２▼、及び硬化工程▲３▼が施される。
【０００９】
塗装工程▲１▼で使用する磁性材料含有液状塗料は、磁性材料ビヒクル成分及び溶剤を主成分とし、さらに必要に応じて着色顔料、染料、アルミニウム粉、パール状顔料、雲母などを配合してなる液状組成物を用いて形成される。また、該液状組成物は、添加剤、表面調整剤、体質顔料等が適宜加えられてもよい。
【００１０】
磁性材料は、それに磁石を作用させると磁力によって配向（変化）する粉末で、例えばニッケル、鉄含有率の高いステンレス、コバルト、クロム、鉄などの粉末やこれらの金属を被覆又は含有せしめたものが好ましい。その形状は、リン片状、薄板状などいずれでもさしつかえなく、大きさは最大長さが１〜２００μm 、好ましくは１０〜３０μm が好ましい。
【００１１】
ビヒクル成分としては、通常の塗料用樹脂が使用でき、例えば常温で乾燥もしくは反応硬化する樹脂、加熱によって硬化もしくは溶融する樹脂、活性エネルギー線照射で硬化する樹脂などがあげられ、具体的にはアルキド樹脂、ポリエステル樹脂、アクリル樹脂、ウレタン樹脂、ビニル樹脂、アミノ樹脂、エポキシ樹脂、フェノール樹脂、シリコン樹脂、フッ素樹脂及びこれらの変性樹脂などが好ましい。
【００１２】
また、溶剤としては、有機溶剤及び（又は）水が挙げられる。液状組成物の形態としては有機溶剤型、非水ディスパーション型、水溶液型、エマルジョン型などがあげられる。
【００１３】
磁性材料は、ビヒクル成分１００重量部（固形分）あたり１〜１００重量部、特に１０〜５０重量部が好ましい。該磁性材料含有液状塗料による着色層の膜厚は２〜１００μm 、好ましくは２０〜３０μm であり、着色層でベースシートを完全に隠ぺいする必要はない。
また、塗料の塗装手段は、例えばナイフコーター、グラビアコーター、ローラー、吹付塗装機、スクリーン印刷機などを用いておこなうことができる。
【００１４】
また、磁性材料含有液状塗料の塗装に先立って、ベースフィルムに必要に応じて、着色顔料及びビヒクル成分を主成分とし、かつ磁性材料を含有していない着色プライマーを形成しておくことも可能である。
【００１５】
該着色プライマーは現出させる模様を目的とする色調にするために形成するのであって、例えばベースフィルム自体がプラスチックなどのように着色されており、かつその色調が目的と合致すれば、着色プライマーを形成する必要はあえてない。
【００１６】
着色プライマーの色調は目的によって任意に選択でき、着色顔料（有機もしくは無機系、メタリック系など）の組成及び比率などによって容易に調整できる。またビヒクル成分は、前記ビヒクル成分と同様のものが使用できる。着色プライマーは膜厚が５〜１００μm 、好ましくは１５〜２５μm が適している。
【００１７】
磁性模様形成工程▲２▼は、ベースフィルム（２）の下面方向から少なくとも一対の駆動ロール（６）に巻き掛けられた無端状のベルト（８）に固定された磁石（９）をベースフィルム（２）と同一進行方向で、また、同一速度で移送させることにより塗料（５）中の磁性材料を磁化させ模様を形成させる。該ベースフィルム（２）の速度は、通常、約０．５〜２m/min の範囲である。
図１において、（７）は無端状のベルトに固定された磁石の全体図を示す。
【００１８】
無端状のベルトに固定された磁石（７）の、拡大断面図を図２に示した。また、該磁石（７）において、磁石（９）と（９）との隙間に紙などを充填して凹部をなくして表面を平滑にしたものや図３に示す如く磁石（９）の表面にベルト状のシート（１０）を設け表面を平滑にしたものも使用できる。
【００１９】
無端状のベルト（８）は、駆動ロール（６）によって移送するベルトであって、従来から公知のベルト、例えば、皮、プラスチック、金属などのものが使用できる。
【００２０】
磁石（９）としては、特に限定されず従来から公知のものが使用できるが、好ましくはマグネットシートである。該マグネットシートは必要に応じて適当な大きさ又は形に切断したものを使用することができる。マグネットシートの厚さは、通常、約０．１〜２mmの範囲である。
シート（１０）は、例えば、前記したベースフィルムと同様のものが使用できる。
【００２１】
磁性材料含有液状塗料の硬化▲３▼は、塗料の種類に応じて適宜硬化方法を選択することができる。例えば加熱が必要なものについては、（１１）として乾燥機又は活性エネルギー線照射が必要なものについては（１１）として活性エネルギー線照射器によって硬化させることができる。
塗料の硬化は、磁性模様が形成された後からベースフィルムが巻き取られる前の間に行なわれる。
【００２２】
本発明方法によって得られる磁性模様を有するベースフィルムは、必要に応じて磁性模様の表面にクリヤー膜を有することができる。クリヤー膜は、例えばクリヤー塗料を塗布することにより、又は接着剤（粘着剤も含む）を有するクリヤーフィルムをラミネートすることにより形成できる。クリヤー膜の形成は、例えば前記工程▲３▼と同時もしくは後におこなうか、又はユーザーで使用される前におこなうことができる。
【００２３】
本発明方法によって得られた磁性模様を有するベースフィルムは、そのままでも使用することができるが、例えばベースフィルムの裏面に粘着剤層やマグネットシート層を設けることも可能である。
【００２４】
【発明の効果】
本発明方法は、▲１▼ベースフィルムがロール状に巻かれた原反のものを使用することができるので生産性が良い、▲２▼無端状のベルト上に固定した磁石をベースフィルムと同一速度で移送させるので輪郭がはっきりとした磁性模様が形成できる、▲３▼磁性模様を形成させると同時に塗料の硬化を連続的におこなうことができる、▲４▼磁石が自動的に脱着されるので手間が掛からない、及び▲５▼塗装、模様形成、硬化が連続的におこなえるので生産効率が良いといった優れた効果を持つものである。
【図面の簡単な説明】
【図１】図１は、本発明方法の概略断面図である。
【図２】図２は、無端状のベルトに固定された磁石の拡大断面図である。
【図３】図３は、無端状のベルトに固定された磁石の表面にベルト状のシートを設けた磁石の拡大断面図である。
【符号の説明】
１    ロール状に巻かれたベースフィルム
２    ベースフィルム
３    駆動ロール
４    磁性材料含有液状塗料
５    塗装された塗料
５´  磁性材料が変化していない部分
５´  磁性材料が変化した部分
６    駆動ロール
７    無端状のベルトに固定された磁石
８    無端状のベルト
９    磁石
１０  ベルト状のシート
１１  硬化装置
【図１】
0003761910.tif 000002
【図２】
0003761910.tif 000003
【図３】
0003761910.tif 000004